(57)【要約】【課題】  部品点数およびコストの削減を図り得る車両用空調装置の操作装置を提供すること。【解決手段】  ユニットボディ１７には複数の爪部２２が一体形成されている。これら爪部２２は共通の円形軌跡上に配列されたものであり、複数の爪部２２にはダイアル２４が回動可能および脱落不能に係合されている。このため、ダイアル２４をシャフトに回動不能および脱落不能に連結するＤスプリングが不要になるので、部品点数およびコストが削減される。【選択図】  図１
2005096581.tif 000002
【特許請求の範囲】
【請求項１】
ベースに同一の円形軌跡上に位置して一体形成された複数の爪部と、
前記複数の爪部に回動可能に係合され、車両用空調装置を操作するダイアルと
を備えたことを特徴とする車両用空調装置の操作装置。
【発明の詳細な説明】
【技術分野】
【０００１】
本発明は、車載の空調装置を車内で操作する操作装置に関する。
【背景技術】
【０００２】
上記操作装置にはダイアルを回動操作することに基いて空調装置の状態を切換える構成のものがある。
【発明の開示】
【発明が解決しようとする課題】
【０００３】
この構成の場合、図９に示すように、ダイアル１００にボス１０１を設け、ボス１０１の内周面にＤスプリング１０２を介してシャフト１０３のＤカット部１０４を嵌合することに基いてダイアル１００をシャフト１０３に回動不能および脱落不能に連結していた。このため、部品点数が増えるので、コストが高くなる傾向にあった。
本発明は上記事情に鑑みてなされたものであり、その目的は、部品点数およびコストの削減を図り得る車両用空調装置の操作装置を提供することにある。
【課題を解決するための手段】
【０００４】
請求項１に係る発明は、ベースに同一の円形軌跡上に位置して一体形成された複数の爪部と、前記複数の爪部に回動可能に係合され車両用空調装置を操作するダイアルとを備えたところに特徴を有する。
【発明の効果】
【０００５】
請求項１に係る発明によれば、複数の爪部にダイアルを係合することに基いてダイアルをベースに回動可能および脱落不能に保持している。このため、ダイアルをシャフトに回動不能および脱落不能に連結するＤスプリングが不要になるので、部品点数およびコストが削減される。
【発明を実施するための最良の形態】
【０００６】
本発明の第１実施例を図１〜図５に基いて説明する。自動車の車内には、図５に示すように、モード選択ユニット１とブロアユニット２と温度コントロールユニット３が装着されている。これらモード選択ユニット１〜温度コントロールユニット３は機械的および電気的に分離独立したものであり、モード選択ユニット１〜温度コントロールユニット３の詳細構成は次の通りである。
１．モード選択ユニット１
自動車のインストルメントパネル側には、図１の（ｂ）に示すように、合成樹脂製のユニットベース１１が固定されている。このユニットベース１１には筒状の軸受１２が一体形成されており、軸受１２の内周面には筒状のシャフト１３が回転可能に嵌合されている。このシャフト１３は合成樹脂を材料に形成されたものであり、シャフト１３にはケーブルベース１４が一体形成されている。
【０００７】
ケーブルベース１４には、図２に示すように、ケーブル１５の左端部が装着されており、ケーブル１５の右端部は空調装置（図示せず）に機械的に接続されている。これらシャフト１３・ケーブルベース１４・ケーブル１５はケーブルユニット１６を構成するものであり、ケーブル１５の右端部はケーブルベース１４がシャフト１３を中心に回動することに基いて移動する。
【０００８】
ユニットベース１１には、図１の（ｂ）に示すように、有色不透明な合成樹脂製のユニットボディ１７が固定されている。このユニットボディ１７には、図２に示すように、複数の取付孔１８が形成されており、ユニットボディ１７は複数の取付孔１８をクラスタパネル１９（図５参照）の爪部（図示せず）に係合することに基いてクラスタパネル１９に固定される。尚、ユニットボディ１７はベースに相当するものである。
【０００９】
ユニットボディ１７の外周部には、図２に示すように、複数のスナップフィット部２０が一体形成されている。これらスナップフィット部２０は共通の円形軌跡上に円周方向に等ピッチで配置されたものであり、図１の（ｂ）に示すように、前後方向へ延びる脚部２１と脚部２１の先端部に位置する突状の爪部２２とから構成されている。
ユニットボディ１７の前端部には、図２に示すように、円筒状のダイアルベース２３が一体形成されている。このダイアルベース２３の外周部には、図１の（ｂ）に示すように、合成樹脂製のダイアル２４が挿入されており、ダイアル２４の後端部には、図２に示すように、径大なリング状の座部２５が一体形成されている。この座部２５には、図１の（ｂ）に示すように、複数の爪部２２が係合しており、ダイアル２４は爪部２２および座部２５間の係合力でユニットボディ１７に対して抜止めされている。即ち、ダイアル２４は内周面および外周面がダイアルベース２３および複数のスナップフィット部２０により案内されることに基いてユニットボディ１７に対して回転操作されるものである。
【００１０】
ダイアル２４の内周面には、図２に示すように、ギア部２６が一体形成されており、ギア部２６には、図１の（ｂ）に示すように、主動ギア２７の径大部２８が噛合されている。この主動ギア２７は合成樹脂を材料に形成されたものであり、図２に示すように、歯車状の径大部２８および歯車状の径小部２９を一体に有している。この主動ギア２７は、図１の（ｂ）に示すように、ユニットボディ１７に軸３０を中心に回転可能に装着されたものであり、ダイアル２４の操作時には主動ギア２７がダイアル２４に対して相対的に回転する。
【００１１】
主動ギア２７の径小部２９には合成樹脂製の従動ギア３１が噛合されている。この従動ギア３１はシャフト１３に回転不能に固定されたものであり、ダイアル２４の操作時には従動ギア３１が主動ギア２７を介して回転操作されることに基いてケーブル１５を移動操作する。即ち、主動ギア２７はダイアル２４の操作力を従動ギア３１に伝達する伝達部材およびダイアル２４の操作量に対する従動ギア３１の回転量を調節する調節部材として機能するものであり、具体的にはダイアル２４の操作量と従動ギア３１の回転量とは「１：１」に設定されている。
【００１２】
ダイアル２４には、図２に示すように、円弧状の開口部３２が形成されている。この開口部３２内には、図１の（ｂ）に示すように、有色不透明な合成樹脂製のマークプレート３３が固定されており、マークプレート３３には、図１の（ａ）に示すように、無色透明な合成樹脂製の複数のモードマーク３４が固定されている。
ダイアルベース２３には無色透明な合成樹脂製のポインタ３５が固定されている。このポインタ３５はモードマーク３４と協働して風の吹出位置を表示するものであり、具体的にはダイアル２４を回動操作することに基いて複数のモードマーク３４をポインタ３５の外周部に選択的に対向させると、ケーブル１５がダイアル２４の回転位置に応じて移動し、空調装置がモードマーク３４の選択結果に応じた吹出口を選択的に開放する。
【００１３】
ユニットボディ１７内には、図１の（ｂ）に示すように、合成樹脂製のスイッチ基板３６が固定されており、スイッチ基板３６にはスイッチ３７が機械的に固定されている。このスイッチ３７はプランジャ３８が後方へ押込み操作されたオン状態に自己保持されるロック式のプッシュ‐プッシュスイッチからなるものであり、プランジャ３８には合成樹脂製のノブホルダ３９が機械的に連結されている。
【００１４】
ノブホルダ３９にはノブ４０が固定されており、ノブ４０には、図１の（ａ）に示すように、リアデフォッガマーク４１が固定されている。これらノブ４０およびリアデフォッガマーク４１は有色不透明な合成樹脂および有色透明な合成樹脂を２色成形することに基いて構成されたものであり、ノブ４０は、図１の（ｂ）に示すように、ダイアルベース２３内に回転不能に収納され、図１の（ａ）に示すように、ダイアル２４の中央部に配置されている。
【００１５】
ノブ４０はダイアル２４に対して相対的に前後方向へスライド可能にされたものであり、ノブ４０を前方のオフ位置から後方へ操作したときにはノブホルダ３９を介してスイッチ３７のプランジャ３８がオン操作され、ノブ４０がスイッチ３７の自己保持力でダイアルベース２３内に押込まれたオン位置に保持される。この状態でノブ４０を後方へ押込み操作すると、スイッチ３７のレリーズが動作することに基いてノブ４０がプランジャ３８の復元力で前方へスライドし、前方のオフ位置に復帰する。
【００１６】
ノブ４０には、図１の（ｂ）に示すように、レンズ４２の前端部が挿入されている。このレンズ４２は有色透明な合成樹脂を材料に形成されたものであり、ノブ４０に固定されている。また、スイッチ基板３６には白色のランプ４３および赤色のＬＥＤ４４が機械的に固定されている。これらランプ４３およびＬＥＤ４４はリアデフォッガマーク４１およびレンズ４２の後方に配置されたものであり、ランプ４３およびＬＥＤ４４の発光時にはリアデフォッガマーク４１およびレンズ４２が照明される。また、スイッチ基板３６には複数のモードマーク３４の後方に位置して複数のランプ（図示せず）が固定されており、複数のモードマーク３４は後方の複数のランプが点灯することに基いて照明される。
【００１７】
ノブ４０にはリアデフォッガマーク４１およびレンズ４２間に位置して遮光板４５が一体形成されている。この遮光板４５は後端部がＬＥＤ４４に対して上下方向にラップするものであり、ランプ４３からの投射光およびＬＥＤ４４からの投射光が混合することを抑え、ランプ４３からの投射光およびＬＥＤ４４からの投射光をリアデフォッガマーク４１およびレンズ４２に集中させる。
【００１８】
スイッチ基板３６には複数の導電板４６（図４参照）が機械的に固定されおり、スイッチ３７・ランプ４３・ＬＥＤ４４・複数のランプは導電板４６に電気的に接続されている。また、スイッチ基板３６には、図４に示すように、コネクタハウジング４７が一体形成されている。このコネクタハウジング４７内には複数の導電板４６の一端部が収納されており、スイッチ３７・ランプ４３・ＬＥＤ４４・複数のランプはコネクタハウジング４７にハーネスのコネクタ（いずれも図示せず）を嵌合することに基いて空調装置に電気的に接続される。
【００１９】
空調装置はフロントガラスおよびリアガラスを加熱することに基いて曇止めするフロントデフォッガ機能およびリアデフォッガ機能を有するものであり、ノブ４０をオン操作したときにはスイッチ３７がオンされ、空調装置がスイッチ３７のオンを検出することに基いてリアデフォッガ機能を作動させる。そして、ＬＥＤ４４に駆動電源を印加することに基いてレンズ４２を発光させ、運転者にリアデフォッガ機能のオンを報知する。
２．ブロアユニット２
ブロアユニット２はモード選択ユニット１との間で多数の部品を兼用するものであり、モード選択ユニット１との相違部分は次の通りである。
【００２０】
ユニットボディ１７には、図３の（ｂ）に示すように、合成樹脂製のダイアルベース４８が固定されており、ダイアルベース４８の外周面には合成樹脂製の外ダイアル４９が嵌合されている。この外ダイアル４９は、図４に示すように、径大な座部５０をユニットボディ１７の複数の爪部２２に係合することに基いて回転可能および脱落不能にされたものであり、外ダイアル４９にはポインタ５１が固定されている。この外ダイアル４９の内周面にはギア部２６が一体形成されており、ギア部２６は主動ギア２７の径大部２８に噛合されている。
【００２１】
ダイアルベース４８には、図３の（ｂ）に示すように、円弧状の開口部５２が形成されており、開口部５２内には、図３の（ａ）に示すように、有色不透明な合成樹脂製のマークプレート５３が固定されている。このマークプレート５３には無色透明な合成樹脂製の２個の取入口マーク５４が固定されており、外ダイアル４９を回動操作することに基いてポインタ５１を取入口マーク５４の外周部に選択的に対向させると、ケーブル１５が外ダイアル４９の回動位置に応じて移動する。すると、空調装置がケーブル１５の移動位置を検出し、取入口マーク５４の選択結果に応じて内気を取入れる内気用の取入口または外気を取入れる外気用の取入口を選択的に開放する。
【００２２】
ダイアルベース４８の内周面には、図３の（ｂ）に示すように、合成樹脂製の内ダイアル５５が回転可能に装着されており、内ダイアル５５の前面には突状のダイアル操作部５６が一体形成されている。このダイアル操作部５６にはポインタとして機能するレンズ５７の前端部が固定されており、レンズ５７はスイッチ基板３６のランプ４３が点灯することに基いて照明される。
【００２３】
内ダイアル５５にはコンタクトホルダ５８のシャフト５９が固定されている。このコンタクトホルダ５８にはコンタクトスプリング６０を介して可動コンタクト６１が連結されており、可動コンタクト６１はコンタクトスプリング６０のばね力で固定コンタクト６２に押付けられている。この固定コンタクト６２は可動コンタクト６１と共にブロアスイッチ６３を構成するものであり、スイッチ基板３６に固定されている。このブロアスイッチ６３はコネクタハウジング４７にハーネスのコネクタを嵌合することに基いて空調装置に電気的に接続されるものであり、空調装置はブロアスイッチ６３からの出力信号に基いて風の吹出風量を設定する。
【００２４】
マークプレート５３には、図３の（ａ）に示すように、無色透明な合成樹脂製の複数のブロアマーク６４が固定されている。これらブロアマーク６４はスイッチ基板３６の複数のランプが点灯することに基いて照明されるものであり、内ダイアル５５を回動操作することに基いてレンズ５７をブロアマーク６４の内周部に選択的に対向させると、ブロアスイッチ６３から内ダイアル５５の回動位置に応じた信号が出力される。すると、空調装置が風の吹出量をブロアスイッチ６３からの出力信号に基いて設定し、風の吹出量をブロアマーク６４の選択結果に応じた値に調整する。
３．温度コントロールユニット３
温度コントロールユニット３は多数の部品をモード選択ユニット１と兼用するものであり、モード選択ユニット１との相違部分は次の通りである。
【００２５】
ノブ４０には、図４に示すように、ランプ４３の前方に位置して空調マーク６５が固定されている。これらノブ４０および空調マーク６５は有色不透明な合成樹脂および有色透明な合成樹脂を２色成形することに基いて形成されたものであり、ノブ４０のオフ状態では空調装置がスイッチ３７のオフを検出し、ヒータ機能を選択的に有効化する。この状態ではＬＥＤ４４が消灯し、運転者にエアコン機能のオフが報知される。また、ノブ４０のオン状態では空調装置がスイッチ３７のオンを検出し、エアコン機能を選択的に有効化する。このオン状態ではＬＥＤ４４が点灯することに基いてレンズ４２が発光し、運転者にエアコン機能のオンが報知される。
【００２６】
ダイアル２４には２個の温度マーク６６が固定されており、ダイアル２４を回動操作することに基いて温度マーク６６の所定位置をポインタ３５の外周部に対向させると、ケーブル１５がダイアル２４の回動位置に応じて移動し、空調装置が風の吹出温度をケーブル１５の移動位置に応じて設定する。
上記第１実施例によれば、ユニットボディ１７に複数の爪部２２を一体形成し、複数の爪部２２にダイアル２４または外ダイアル４９を係合することに基いてダイアル２４または外ダイアル４９をユニットボディ１７に回動可能および脱落不能に保持した。このため、ダイアル２４および外ダイアル４９をシャフトに回動不能および脱落不能に連結するＤスプリングが不要になるので、部品点数およびコストが削減される。
【００２７】
また、ダイアル２４およびリアデフォッガマーク４１を有色不透明な合成樹脂および有色透明な合成樹脂を２色成形することから構成した。このため、ランプ４３の消灯時にはリアデフォッガマーク４１が黒色系に見え、ランプ４３の点灯時には有色に輝くように見えるので、特にランプ４３の点灯状態でリアデフォッガマーク４１の視覚的な認識性が向上する。この効果は空調マーク６５についても同様である。
【００２８】
次に本発明の第２実施例を図６に基いて説明する。モード選択ユニット１のダイアル２４内には乳白色の拡散プレート６７が収納されている。この拡散プレート６７はマークプレート３３に相当するリング状をなすものであり、スイッチ基板３６のランプ６８が点灯することに基いて面発光し、マークプレート３３の複数のモードマーク３４を一挙に照明する。この構成の場合、小数のランプ６８で複数のモードマーク３４を均一に照明することができるので、部品点数が削減される。
【００２９】
尚、上記第２実施例においては、モード選択ユニット１の複数のモードマーク３４を拡散プレート６７により照明したが、これに限定されるものではなく、例えばブロアユニット２の複数の取入口マーク５４および複数のブロアマーク６４を拡散プレート６７により照明しても良い。
次に本発明の第３実施例を図７に基いて説明する。モード選択ユニット１にはダイアル４０に変えてダイアル６９が装着されている。このダイアル６９は筒状の本体部７０に円板状のマークプレート７１を固定することに基いて構成されたものであり、マークプレート７１にはインジケータ７２およびリアデフォッガマーク７３が設けられ、本体部７０にはインジケータ７２およびリアデフォッガマーク７３間に位置して遮光板７４が一体成形されている。これらインジケータ７２およびリアデフォッガマーク７３はマークプレート７１に印刷を施すことに基いて形成されたものであり、後方のＬＥＤ４４およびランプ４３が点灯することに基いて照明される。この構成の場合、ノブ４０およびリアデフォッガマーク４１を２色成形する必要がなくなる上、レンズ５７を廃止することができるので、コストが削減される。
【００３０】
次に本発明の第４実施例を図８に基いて説明する。モード選択ユニット１のノブ４０には貫通孔７５が形成されている。この貫通孔７５内にはスイッチ基板３６のＬＥＤ４４が挿入されており、運転者はＬＥＤ４４の発光状態を直接的に認識することに基いてリアデフォッガ機能の動作状態を確認する。この構成の場合、レンズ５７が不要になるので、部品点数およびコストが削減される。
【図面の簡単な説明】
【００３１】
【図１】本発明の第１実施例を示す図（ａはモード選択ユニットを示す前面図、ｂはＸ線に沿う断面図）
【図２】モード選択ユニットを分解して示す斜視図
【図３】ブロアユニットを示す図１相当図
【図４】モード選択ユニット，ブロアユニット，温度コントロールユニットを示す斜視図
【図５】モード選択ユニット，ブロアユニット，温度コントロールユニットを組付け状態で示す図（ａは上面図、ｂは前面図）
【図６】本発明の第２実施例を示す図（ダイアル，拡散プレート，ランプを示す斜視図）
【図７】本発明の第３実施例を示す図（ａはノブを示す前面図、ｂはＸ線に沿う断面図）
【図８】本発明の第４実施例を示す図１相当図
【図９】従来例を示す図
【符号の説明】
【００３２】
１７はユニットボディ（ベース）、２２は爪部、２４はダイアル、４９は外ダイアル（ダイアル）を示している。
【図１】
2005096581.tif 000003
【図２】
2005096581.tif 000004
【図３】
2005096581.tif 000005
【図４】
2005096581.tif 000006
【図５】
2005096581.tif 000007
【図６】
2005096581.tif 000008
【図７】
2005096581.tif 000009
【図８】
2005096581.tif 000010
【図９】
2005096581.tif 000011